(57)【要約】所定のエンティティのプレゼンス情報を要求すること（２１０）と、要求に応答して、所定エンティティの存在に関するプレゼンス情報を受信すること（２２８）と、受信したプレゼンス情報に基づいて所定エンティティが存在する場合に、グラフィックプレゼンス情報と、幾つかの実施形態では可変プレゼンス情報とを、携帯用無線通信ハンドセット上に表示することとを含む、携帯用無線通信ハンドセットと他の加入者における方法。
2005522123.tif 000002
【特許請求の範囲】
【請求項１】
携帯用無線通信ハンドセットにおける方法であって、
所定のエンティティに関するプレゼンス情報を要求する工程と、
前記要求に応答して、所定エンティティの存在に関するプレゼンス情報を受信する工程と、
前記要求に応答して受信されたプレゼンス情報に基づいて、携帯用無線通信ハンドセット上でグラフィックプレゼンス情報を表示する工程と
から成る方法。
【請求項２】
前記グラフィックプレゼンス情報が、前記所定エンティティに関連付けられたグラフィック画像情報を含み、
プレゼンス情報が要求された前記所定エンティティに関する、完全に予めレンダリングされたグラフィック画像を受信し、
携帯用無線通信ハンドセット上で、前記予めレンダリングされたグラフィック画像を表示する、請求項１に記載の方法。
【請求項３】
携帯用無線通信ハンドセットが、前記完全に予めレンダリングされたグラフィック画像を受信する前に、グラフィック画像のレンダリングができないことを示す、請求項２に記載の方法。
【請求項４】
前記グラフィックプレゼンス情報が、プレゼンス情報が要求された単一の所定エンティティのみに一意的に関連付けられた画像を含み、
所定エンティティに関する、完全に予めレンダリングされた画像を受信し、
携帯用無線通信ハンドセット上に、前記予めレンダリングされたグラフィック画像を表示する、請求項１に記載の方法。
【請求項５】
受信されたプレゼンス情報に基づいて、携帯用無線通信ハンドセット上で可変画像を表示し、前記可変画像は所定エンティティの存在に加えて何らかの要因に依存するものである、請求項１に記載の方法。
【請求項６】
受信されたプレゼンス情報に基づいて、携帯用無線通信ハンドセット上で可変画像を表示し、前記可変画像は所定エンティティの存在に加えて何らかの要因に依存するものであり、可変グラフィック画像は、プレゼンス情報が要求された前記所定エンティティの特徴を一意的に示している、請求項１に記載の方法。
【請求項７】
受信されたプレゼンス情報に基づいて、前記所定エンティティに関連付けられたグラフィック画像を携帯用無線通信ハンドセット上でレンダリングし、
前記グラフィック画像が、プレゼンス情報が要求された単一の所定エンティティのみに一意的に関連付けられたものであり、
携帯用無線通信ハンドセット上で前記グラフィック画像を表示する、請求項１に記載の方法。
【請求項８】
プレゼンス情報を受信する前に、携帯用無線通信ハンドセットが、グラフィック画像をレンダリングできるかどうかを示す、請求項７に記載の方法。
【請求項９】
前記受信された情報で携帯用無線通信ハンドセットに格納されたベース画像を修正することで、携帯用無線通信ハンドセット上でグラフィック画像をレンダリングする、請求項７に記載の方法。
【請求項１０】
前記受信されたプレゼンス情報に基づいて、所定エンティティに関連付けられたグラフィック画像を携帯用無線通信ハンドセット上でレンダリングし、
携帯用無線通信ハンドセット上でグラフィック画像を表示する、請求項１に記載の方法。
【請求項１１】
前記受信されたプレゼンス情報に基づいて、所定エンティティに関連付けられた可変画像を携帯用無線通信ハンドセット上でレンダリングし、
前記可変画像が、前記可変グラフィック画像が関連付けられた所定エンティティに関連付けられた少なくとも１個の可変属性に依存し、
携帯用無線通信ハンドセット上で該可変画像を表示する、請求項１に記載の方法。
【請求項１２】
受信されたプレゼンス情報と、所定エンティティに関連する履歴情報とに基づいて、携帯用無線通信ハンドセット上で可変画像を表示する、請求項１に記載の方法。
【請求項１３】
所定エンティティのベースライングラフィック情報が得られるソースへのアドレスを受信する、請求項１に記載の方法。
【請求項１４】
所定エンティティに関連付けられた可変特徴を有するグラフィック画像を表示することで、所定エンティティに関して、その存在以外の追加情報を提供し、該可変特徴は該追加情報を伝達するものである、請求項１に記載の方法。
【請求項１５】
要求に応答して受信されたプレゼンス情報に基づいて、何らかの他のエンティティと一意的に関連付けられたグラフィックプレゼンス情報を、携帯用無線通信ハンドセット上で表示する、請求項１に記載の方法。
【請求項１６】
要求に応答して受信されたプレゼンス情報に基づいて、複数個のエンティティに関連するグラフィックプレゼンス情報を携帯用無線通信ハンドセット上で表示し、
前記表示されるグラフィックプレゼンス情報をグラフィック的に整理する、請求項１に記載の方法。
【請求項１７】
各エンティティに関して表示されるグラフィックプレゼンス情報が経時変動画像であり、
前記経時変動画像の共通性のある要素に基づいて、表示されるグラフィック情報をグラフィック的に整理する、請求項１６に記載の方法。
【請求項１８】
携帯用無線通信ハンドセットにおける方法であって、
所定のエンティティに関するプレゼンス情報を要求する工程と、
前記要求に応答して、所定エンティティの存在に関する第１の可変プレゼンス情報を受信する工程と、
前記受信された第１の可変プレゼンス情報に基づいて、携帯用無線通信ハンドセット上で第１のプレゼンス情報を表示する工程と、
前記表示された第１のプレゼンス情報が、前記所定エンティティの存在以外の所定エンティティの特徴に依存するものであることと、
から成る方法。
【請求項１９】
同じ所定エンティティの存在に関する第２の可変プレゼンス情報を受信する工程と、
前記受信された第２の可変プレゼンス情報に基づいて、携帯用無線通信ハンドセット上で、第１のプレゼンス情報とは異なる第２のプレゼンス情報を表示する工程と、
前記表示された第１のプレゼンス情報が、所定エンティティの存在以外の所定エンティティの特徴に依存するものであることと、
から成る、請求項１８に記載の方法。
【請求項２０】
無線通信ネットワーク用のプレゼンスサーバにおける方法であって、
プレゼンスサーバで、特定のエンティティのプレゼンス情報に対する要求を受信する工程と、前記要求がプレゼンスサーバから遠く位置するユーザ装置によって開始されることと、
特定のエンティティが存在する場合に、プレゼンスサーバで、該要求に応答して、該特定のエンティティに関連付けられたグラフィックプレゼンス情報を提供する工程と、
から成る方法。
【請求項２１】
前記要求に応答して、前記特定のエンティティに関する、予めレンダリングされたグラフィック画像を提供する、請求項２０に記載の方法。
【請求項２２】
プレゼンスサーバで、プレゼンス情報に対する要求を開始するユーザ装置のグラフィック画像レンダリング能力情報を受信し、前記ユーザ装置がグラフィック画像をレンダリングできない場合に、該要求に応答して、予めレンダリングされたグラフィック画像を提供する、請求項２０に記載の方法。
【請求項２３】
前記要求に応答して、予めレンダリングされたグラフィック画像を提供する前に、画像レンダリングサーバから、予めレンダリングされたグラフィック画像を受信する、請求項２２に記載の方法。
【請求項２４】
プレゼンスサーバで、前記要求に応答して、前記特定のエンティティに一意的に関連付けられた可変グラフィックプレゼンス情報を提供し、前記可変グラフィック情報は前記特定のエンティティの少なくとも１個の可変属性に依存するものである、請求項２０に記載の方法。
【請求項２５】
プレゼンスサーバで、前記要求に応答して、前記可変グラフィックプレゼンス情報を提供する前に、前記特定のエンティティから可変属性情報を受信する、請求項２４に記載の方法。
【発明の詳細な説明】
【技術分野】
【０００１】
本発明は、プレゼンスサービスに関し、詳細には、グラフィックおよび可変プレゼンス情報を提供できる、無線通信ネットワーク内のプレゼンスサーバを含むプレゼンスアーキテクチャ、グラフィックおよび可変プレゼンス情報を表示できる携帯用通信ハンドセット、およびそのための方法に関する。
【背景技術】
【０００２】
通信ネットワークにおける「プレゼンス」サービスは、一般的に知られており、たとえばアメリカ・オンライン（ＡＯＬ：America   On-Line ）の人気のある「バディリスト（Buddy List）」プレゼンスおよびインスタントメッセージングサービスが挙げられる。ＡＯＬの「バディリスト」とは、予め選択された、「バディ」として知られる他の予め選択または識別されたＡＯＬ加入者がオンラインにいる、すなわち「存在する」場合に、その「バディ」を列挙する、ＡＯＬ加入者ステーションのポップアップウィンドウである。ＡＯＬ「バディリスト」は、加入者がオンラインに入ると、またオフラインになると動的に更新される。かくして、ＡＯＬメンバーは、予め選択したどの「バディ」がオンラインおよびオフラインにいるかを知ることができる。
【０００３】
グラフィックアイコンをユーザの存在（プレゼンス）と関連付けることも知られており、たとえば、ＡＯＬサービスは、ユーザが、その存在と関連付けられた所定のアイコンのリストから、あるアイコンを選択することを可能にしている。選択されたアイコンは、ＡＯＬバディリストのユーザのユーザ名の隣で、ユーザの存在に関連付けて表示される。
【０００４】
本発明のさまざまな態様、特徴および利点は、以下に説明する添付図面とともに以下の発明を実施するための最良の形態を熟考することで当業者に、より完全に明らかとなる。
【発明を実施するための最良の形態】
【０００５】
本発明は、以下にさらに説明されるように、可変のテキストおよび非テキスト情報、たとえばグラフィック画像を含むプレゼンス情報を、プレゼンス情報が要求されたエンティティに関連付けられたプレゼンス情報を表示できるプレゼンスサービス加入者に提供することで、無線加入者向けのプレゼンスサービスを含む、プレゼンスサービスを強化すること、あるいはその強化されたプレゼンスサービスに関する。
【０００６】
幾つかの実施形態では、加入者に提供または受信されるプレゼンス情報は、加入者装置のハードウェアとソフトウェアの能力、たとえば、加入者装置がグラフィック情報を生成および／または表示できるかどうかなどによって異なる。プレゼンス情報、たとえばグラフィックプレゼンス情報は、加入者装置上でローカルに生成またはレンダリングされ得る。あるいは、そのような情報は、予めレンダリングされた状態で、たとえばプレゼンスサーバから、または何らかの他のソースから加入者により受信され得る。かくして、本発明の幾つかの実施形態は、以下にさらに詳細に説明するように、たとえば、グラフィック画像を生成する能力のない、限定された画像レンダリング能力を有する加入者が、グラフィックプレゼンス情報を表示することを可能にする。
【０００７】
本発明の他の実施形態では、加入者に提供されるプレゼンス情報は、プレゼンス情報を受信する特定の加入者装置に関連付けられた個人識別性（personal identity ）に左右される。以下にさらに詳細に説明されるように、たとえば、ある者の配偶者は、その者の職業上の同僚とは異なる特定のエンティティからのプレゼンス情報を受信するよう指定され
、その職業上の同僚は、その社会的友人とは異なるプレゼンス情報を受信するよう指定されることが可能である。
【０００８】
図１のシステム１００では、無線通信デバイス１１０、たとえば双方向ポケットベル、セルラーハンドセット、その他の双方向無線通信対応携帯デバイスが、無線ネットワーク１２０、たとえば２．５ＧのＧＰＲＳまたは３Ｇ広帯域ＣＤＭＡ通信ネットワークか、何らかの他の無線またはページングネットワーク上で、通信を行う。
【０００９】
１実施形態では、ネットワークは、家庭用加入者システム１２９、たとえば家庭用ロケーションレジスタ（ＨＬＲ）１３０と一般的に個人的な加入者情報と加入者デバイス情報を含む無線ネットワーク加入者情報を有するデータベース１３２に、通信可能に結合される。例示した実施形態では、ＨＬＲ１３０は、プレゼンスデータベース１４２から成るプレゼンスサーバ１４０とも通信する。より一般的には、２台以上の家庭用加入者装置がプレゼンスサーバ１４０と通信できる。
【００１０】
幾つかのプレゼンスアーキテクチャで、家庭用加入者システム１２９とプレゼンスサーバ１３０とは、プレゼンスサーバ１３０からは離れて配置されてもよいしＨＬＲ１３０またはプレゼンスサーバ１３０の一方または他方と共に配置されてもよい、画像レンダリングサーバ１５０に結合される。別の実施形態では、画像レンダリングサーバ１５０とプレゼンスサーバ１３０は、まったく同一のものとなるよう一体化される。
【００１１】
図１のプレゼンスアーキテクチャでは、たとえばワイヤレス・アプリケーション・プロトコル（ＷＡＰ）ゲートウェイやその他のゲートウェイなどのゲートウェイ１６０が、無線ネットワーク１２０と、ＨＬＲ１３０およびプレゼンスサーバ１４０と、画像レンダリングサーバ１５０と、そのうちの１つが１１０で示されるＷＡＰまたは他のゲートウェイ対応携帯用無線通信デバイスにも通信可能に結合される。また図１は、ゲートウェイ１６０が、同様にＨＬＲ１３０およびプレゼンスサーバ１４０に通信可能に結合されたインターネット１７０か何らかの他のネットワークにも結合されていることを図示する。インターネット１７０は、対応するインスタントメッセージング（ＩＭ）サーバを有し得る、たとえば特にＹａｈｏｏ、ＡＯＬなどの、多数の第３者サービスプロバイダ１８０とも関連付けられている。第３者サービスプロバイダは通常、インスタントメッセージングとプレゼンスサービスを多数のサービス加入者１８２に提供する。かくして、本願で言及される加入者と加入者装置は無線加入者に限られず、より一般的に他の種類の加入者も含み、それらすべてが互いにプレゼンス情報を伝達、提供できる。
【００１２】
幾つかの実施形態では、グラフィック画像が、別のエンティティのプレゼンス情報に対して行われる要求に応答して受信されたプレゼンス情報に基づいて、プレゼンス情報を要求する無線加入者にて表示される。グラフィック情報は、該エンティティが存在するかどうかを表示でき、グラフィック情報は、以下にさらに説明するように、該エンティティに関する追加の時間依存情報も含むことが可能である。
【００１３】
幾つかの実施形態では、グラフィック画像が特定のエンティティに一意的に関連付けられる。たとえばエンティティは、一意のグラフィック画像またはカリカチュアに関連付けられる。あるいは、グラフィック画像は、１組の所定画像から選択される、グラフィックかテキストが修正された画像であってもよい。エンティティに関連付けられるグラフィック画像は、何らかの他の一意の画像や、１組の標準画像から選択された画像や、エンティティによって作成された画像であってもよい。
【００１４】
幾つかの実施形態では、特定のエンティティのプレゼンス情報が、該エンティティの可変の特徴か属性か活動か様子（condition ）によって経時的に変動する。かくして、可変
プレゼンス情報は存在（または不在）を表すのみならず、特定の時間におけるエンティティに関する何らかの他の情報をもグラフィック表示できる。
【００１５】
１実施形態では、エンティティに対応するグラフィック画像またはカリカチュアが、対応するエンティティの何らかの可変の属性か特徴か様子、たとえばエンティティの気分、利用可能性、位置、要望あるいは特定時間におけるエンティティに関連するまたはエンティティを取り巻くその他の何らかの特性または状況に基づいて修正される。
【００１６】
１実施形態では、エンティティに対応するベースライン画像またはカリカチュアが、対応するベースライン画像かカリカチュアの顔の表情および／またはボディランゲージを変えることで、エンティティの属性か様子、たとえばエンティティの心理的気質に応じて変更される。別の実施形態では、グラフィック画像またはカリカチュアが、エンティティの何らかの状態や様子の瞬時表示を提供するよう、他の方法で修正されてもよい。あるいは、画像または文字を、エンティティの存在以外のものを通信するために、他の画像か文字もしくはテキストと組み合わせてもよい。たとえば、画像やカリカチュアは、エンティティが仕事中であることを示すために、デスクに座っているように見せることもできるし、あるいは画像やカリカチュアは、休養を表すために、レジャー活動を行っているように見せることもできる。あるいは、ベースライン画像やカリカチュアは、履歴情報、たとえば加入者装置上またはプレゼンスサーバか何らかの他の情報格納場所に格納された情報に基づいて、修正され得る。本発明の以上の態様とその他の態様を以下にさらに説明する。
【００１７】
図２は、携帯用無線通信デバイスすなわち無線加入者に無線プレゼンスサービスを提供するための、より詳細には、プレゼンス情報を要求する加入者装置にデバイス「Ａ」のプレゼンス情報を送信することに関する、例示的な汎用プロセスのフロー図２００である。ブロック２１０で、本願では無線加入者または加入者または加入者装置と称される携帯用無線通信デバイスは、１または複数の他の所定エンティティのプレゼンス情報、たとえば、ときにプレゼンティティと称される他のエンティティの存在に関する情報を要求する。プロセスは、加入者装置の電源投入時、または何らかの他の事象時、たとえばブラウザかインスタントメッセージングアプリケーションか何らかの他のアプリケーションを開いたとき、あるいはハンドセットで何らかの操作を実行することで、開始され得る。
【００１８】
本特許出願の説明において、グラフィックレンダリング能力とは、たとえば無線デバイスのＬＣＤなどのディスプレイデバイス上での表示を目的として、たとえば生データからグラフィック画像を構築または生成する加入者装置とサーバの能力のことを指す。グラフィックレンダリング能力はまた、表示のためにグラフィック画像を改正または修正する加入者装置とサーバの能力のことも指す。一部の加入者装置は、グラフィック情報をレンダリングし、表示することが可能であるが、他の加入者装置には、グラフィック情報を表示することのみが可能で、グラフィック画像のレンダリングはできないものもある。他の加入者装置には、グラフィック情報のレンダリングも表示もできないものもある。
【００１９】
プレゼンスサーバやその他のプレゼンス情報源が、グラフィックプレゼンス情報を直接送信するかグラフィックプレゼンス情報がどこで取得できるかについての情報を提供することにより、グラフィックプレゼンス情報を加入者に提供するアプリケーションの場合、プレゼンス情報を要求する加入者がテキスト情報以外のグラフィック情報を表示できるかどうかを、プレゼンスサーバが知ることができることが望ましい。
【００２０】
図２で、ブロック２１４において、プレゼンス情報を要求する加入者、すなわちデバイス「Ａ」が、画像やグラフィックプレゼンス情報、たとえばテキスト以外の情報を表示できるかどうかが判定される。
【００２１】
図１で、幾つかのプレゼンスアーキテクチャにおいては、加入者の画像表示能力が、ＨＬＲ１３０によってデータベース、たとえば加入者プロフィール情報を含むデータベース１３２からアクセス可能である。別のプレゼンスアーキテクチャでは、この情報は、プレゼンスサーバ１４０によってアクセス可能な他のデータベースに格納でき、たとえば、プレゼンスデータベース１４２に格納され得る。あるいは、加入者のグラフィック表示能力は、プレゼンス情報要求時に、プレゼンスサーバに伝達されることが可能である。
【００２２】
図２のブロック２１８で、加入者装置が、画像やカリカチュアなどのグラフィック情報を表示できないというシナリオの場合、プレゼンスサーバは、プレゼンス情報の要求に応答して、加入者にグラフィックプレゼンス情報を送信することはしない。このような場合、エンティティのプレゼンスは、グラフィック情報の表示によって示されない。その代わり、プレゼンスは、何らかの他の従来の手段、たとえばテキスト情報のみを表示することで、示され得る。
【００２３】
幾つかの実施形態では、各エンティティが、どのようなプレゼンス情報が、グラフィック情報を表示できる加入者に提供されるか、どのようなプレゼンス情報が、グラフィック情報を表示できない加入者に提供されるかを指定できる。たとえば、あるエンティティは、特定のテキストプレゼンス情報をグラフィック情報を表示できない加入者に送信し、グラフィックとテキスト情報の両方をグラフィック情報を表示できる加入者に送信するよう指定できる。各エンティティが特定の加入者に指定するプレゼンス情報は、データベース、たとえば図１のプレゼンスデータベース１４２か、プレゼンスサーバによってアクセス可能な何らかの他の場所に格納され得る。この特徴は、エンティティのプレゼンス情報を要求できる特定の加入者または加入者のグループに提供されるプレゼンス情報を指定または調整することをエンティティに可能にする。かくして、加入者が特定のエンティティのプレゼンス情報を要求すると、プレゼンスサーバは、その特定の加入者に指定されたプレゼンス情報のみを送信する。
【００２４】
幾つかのプレゼンスアプリケーションにおいて、グラフィック情報を表示できない加入者は、特定のエンティティにはグラフィック情報が利用可能であったがその加入者が画像を表示できないために要求に応答して該グラフィック情報がその加入者に送信されなかったことを示すメッセージを、受信することもできる。
【００２５】
図２で、ブロック２２０において、加入者は、グラフィック情報が特定のエンティティには利用可能であったが該グラフィック情報は送信されなかったという表示を受信する。別のアプリケーションにおいて、グラフィック情報を表示できない加入者装置によって受信されたグラフィック情報は単に廃棄される。メッセージ内容を減少することで帯域幅使用が削減できるため、グラフィック情報は、グラフィック機能のない加入者には送信されないことが好適である。
【００２６】
加入者装置がグラフィック情報を表示できる実施形態では、プレゼンスサーバは、プレゼンス情報が要求されている１または複数のエンティティが存在するかどうかを少なくとも示すプレゼンス情報を送信する。より一般的には、そのようなプレゼンス情報は、グラフィック情報と、可変グラフィックまたはその他の可変情報を表示するために必要な情報とを含み得る。加入者側で、プレゼンス情報が加入者によって要求されるエンティティについてのグラフィックおよび／またはテキスト情報を含むプレゼンス情報が、受信されたプレゼンス情報に基づいて、加入者にて表示される。
【００２７】
幾つかのアプリケーションにおいて、加入者装置はグラフィック情報を表示できるが、加入者装置上でローカルにグラフィック画像をレンダリングすることはできない。図２において、デバイス「Ａ」がグラフィック画像をローカルにレンダリングまたは修正できる
かどうかの判定がブロック２２２で行われる。この判定は、たとえば、ＨＬＲデータベース１３２に格納されたプロフィール情報に基づいて、あるいは、何らかの他のデータベースから得られた情報に基づいて、あるいは要求時点で、加入者のグラフィックレンダリング能力情報をプレゼンスサーバに通信することで行われる。
【００２８】
要求者または加入者装置がグラフィックを表示できるが、グラフィックのレンダリングや修正はできない場合、加入者装置に伝達されるプレゼンスグラフィック画像情報は、加入者による受信前に予めレンダリングされることが好ましい。言い換えると、加入者によって受信されるグラフィック画像情報は、それ以上のグラフィックレンダリングをすることなく、加入者により表示されるに適した形態をしている。
【００２９】
図１で、グラフィック画像は、たとえばある特定の加入者がグラフィック画像をローカルに修正できないというプレゼンスサーバ表示上に格納された情報に基づいて、その加入者への送信前に、プレゼンスサーバ１４０で構築、あるいは予めレンダリングされ得る。あるいは、グラフィック画像は、グラフィック画像データベース１５４から得られた情報に基づいて、グラフィック画像をレンダリングするために画像レンダリング供アルゴリズム１５２を使用する専用の画像レンダリングサーバ１５０でレンダリングされ得る。あるいは、予めレンダリングされたグラフィック画像が、データベース１５４以外のソース、たとえばＨＬＲデータベース１３２に格納されたプロフィール情報から、あるいはプレゼンスサーバ１４０に格納された情報から引き出され、取得される。図２のプロセスフロー図で、予めレンダリングされた画像の生成はブロック２２４で行われる。
【００３０】
加入者情報の要求に応答し、幾つかの実施形態では、加入者が、完全に予めレンダリングされたグラフィック画像を受信する。画像は、たとえば図１の画像レンダリングサーバ１５０から直接または何らかの他のソースから、プレゼンスサーバまたはグラフィック画像ソースのいずれかから得られる。図２で、予めレンダリングされた画像は、ブロック２２８で加入者すなわちユーザデバイス「Ａ」に送信される。その後、予めレンダリングされたグラフィック画像が加入者装置で表示される。
【００３１】
図２のブロック２２２で判定されるように、加入者がグラフィック画像を生成またはレンダリングできる実施形態では、受信されるプレゼンス情報に基づいて所定エンティティと関連付けられるグラフィック画像は、加入者装置で少なくとも部分的に生成され得る。その後、プレゼンス情報が要求された所定エンティティが、要求に応答して受信されるプレゼンス情報に基づいて存在する場合、グラフィック画像が加入者装置上で表示される。
【００３２】
加入者がグラフィック画像をローカルにレンダリングできるアプリケーションでは、プレゼンスグラフィック画像を加入者側で生成するために必要な全ての情報が、要求に応答して受信され得る。別の実施形態では、グラフィック情報の少なくとも一部が加入者装置に格納される。たとえば、各エンティティのベースラインキャラクタ画像またはカリカチュアが加入者のプレゼンティティリストに格納される。本例示的実施形態では、加入者は少なくとも、要求に応答して、求められるエンティティが存在するかどうかを示す情報を受信する。別のアプリケーションでは、加入者装置は、加入者が加入者装置上でグラフィック画像を生成するために使用するグラフィックプレゼンス情報を受信する。
【００３３】
以下にさらに詳細に説明するように、更新されたベースライン画像が加入者に送信されない限り、各エンティティのグラフィック情報は、要求ごとに応答して送信される必要はないため、加入者装置上に加入者が関心がある各プレゼンティティ用のグラフィック情報の少なくとも一部を格納することで、データ量は減少する。
【００３４】
図２の例示的な図において、ブロック２３０で、加入者は、加入者装置に格納されたプ
レゼンス画像、たとえばベースラインカリカチュアを修正するために必要となる、プレゼンス情報を受信する。かくして、幾つかの実施形態では、図２のブロック２３４に示されるように、プレゼンスサーバが、プレゼンス情報が要求されるエンティティのいずれかに関するベースライン画像情報を加入者が有するかどうかを知ることが望ましい。この情報は、加入者によってプレゼンスサーバに伝達され得るか、プレゼンスサーバ１４０がこの情報を何らかの他のソース、たとえばＨＬＲデータベース１３２か、プレゼンスデータベース１４２から取得し得るので、かくして、要求ごとに応答してグラフィックデータを再送信する必要性が排除される。
【００３５】
図２のブロック２３８で、プレゼンス情報、たとえばデバイス「Ａ」の新しいまたは更新された画像が得られ、ブロック２２８で、デバイス「Ａ」に関するプレゼンス情報を要求する加入者装置に送信される。かくして、加入者は、その後、加入者装置にすでに格納されていたプレゼンティティデバイス「Ａ」のためのベースライン画像または何らかの他のグラフィック情報を更新する。加入者は、要求に応答して受信されたプレゼンス情報に基づいて、ベースラインキャラクタと組み合わせて使用するために、そこにさまざまな顔の表情の画像や他のグラフィック画像も格納できる。たとえば、加入者側で受信されたプレゼンス情報が、エンティティが楽しい気持ちでいることを示している場合、加入者はベースラインカリカチュアを楽しい顔に修正する。あるいは、エンティティが悲しんでいる場合、加入者はカリカチュアを悲しい顔に修正する。
【００３６】
ブロック２３８で、プレゼンスサーバはベースライン画像を修正することで、可変画像をレンダリングするために加入者装置に必要とされる情報を得ることができ、ブロック２２８で加入者に該情報を送信できる。たとえば、加入者が、特定のエンティティのベースライン画像、たとえばカリカチュアを、要求に応答して、加入者上に格納したと想定すると、サーバまたは何らかの他のソースは加入者に、別の画像、たとえばエジプト人の画像を、エジプト人の画像とそのカリカチュアを組み合わせる指示とともに送信し、かくして、エンティティが現在エジプトにいるか、何らかの関連する活動に参加中であることを示す。
【００３７】
幾つかの実施形態では、エンティティが、プレゼンスサーバが加入者に分配するため、グラフィック情報を動的に更新する能力を有する。たとえば、特定のセッション中、エンティティは職場から自宅へ戻ることや、気分を変えることがある。本発明のこの態様によると、加入者は、プレゼンス情報が要求されるすべてのエンティティに関する更新済みプレゼンス情報を受信する。かくして、エンティティがそのプレゼンス情報の更新や変更を実行すると、その更新や変更が加入者に伝達される。また、前述のように、エンティティからの更新は加入者特定のものであり、したがってエンティティはある加入者に対してはそのプレゼンス情報を更新し、その他の加入者に対しては更新しないことがある。幾つかの実施形態では、更新されたプレゼンス情報は直ちに加入者に送信され、その他の実施形態では、更新されたプレゼンス情報は、次のセッション開始までは送信されない。
【００３８】
幾つかの実施形態では、加入者が、多数のエンティティのグラフィック情報を同時に表示する。１実施形態では、加入者が、たとえばエンティティの中の共通性のある１または複数の要素に基づいて、表示されるグラフィックプレゼンス情報をグラフィック的に整理する。本実施形態は、表示されるグラフィックプレゼンス情報が経時変動要素を有するアプリケーションで特に有用である。たとえば、受信されたグラフィックプレゼンス情報に基づいて、２乃至それ以上のエンティティが共通の場所、たとえば職場にいることが分かっている場合、加入者はこれらのエンティティに関して表示されたグラフィックプレゼンス情報をグラフィック的に組み合わせるか、その他の方法により修正できる。同じミーティングに出席するエンティティに関するグラフィックプレゼンス情報、たとえばカリカチュアは、一緒にグループ分け、たとえばテーブルに着席させることができる。
【００３９】
図２のブロック２４０で、ここでは加入者に格納されたベースライン画像はないが、存在する各エンティティの画像がデータベース、たとえばカリカチュアデータベース１５４か何らかの他のデータベースから得られる。次に、カリカチュアか他のデータベースから得られた画像は、ブロック２４４でプレゼンス情報に埋め込まれ、ブロック２２８で加入者に送信され得る。図２のブロック２４２で、幾つかの実施形態では、カリカチュアか他のデータベースから得られるベースライン画像は、加入者に送信される前に、更新されるか編集される。
【００４０】
図３は、サーバ上でプレゼンス情報を作成し、更新する例示的フロー図である。１実施形態では、何らかのグラフィックおよび／またはテキスト情報を含む対応するプレゼンス情報を有する無線およびその他の加入者は、グラフィック情報画像をプレゼンスサーバに少なくとも１回提供する。このプレゼンス情報またはその一部は、前述のように、定期的に更新され得る。あるいは、加入者はプレゼンスサーバに、プレゼンスサーバか他の加入者が画像または画像要素の位置を特定できるポインタかアドレスを提供する。いずれにせよ、エンティティは、プレゼンス情報の全てまたは一部をいつでも更新でき、更新された情報は、プレゼンスサービスプロバイダのスケジュールにしたがって、プレゼンス情報を要求する加入者に、好適には直ちに伝達される。
【００４１】
幾つかのアプリケーションで、１または複数の加入者に関する画像またはその一部、たとえばベースラインカリカチュアは、他の加入者装置に格納される。画像またはその一部は、図２のブロック２３８に関連して前述したように、プレゼンスサーバから得られ、プレゼンスサーバによって更新される。あるいは、加入者装置は、プレゼンスサーバからまたは画像が関連付けられたエンティティから得られるポインタかアドレスに基づいて、何らかの他のソースからベースライン画像を得ることができる。
【００４２】
図３のブロック３１０で、加入者すなわちユーザ装置（ＵＥ）は、ＵＥが存在することを示すプレゼンスメッセージをプレゼンスサーバに送信する。ブロック３１４で、加入者に関連付けられたグラフィック画像情報が、加入者装置に格納されているか、何らかの他の場所に格納されているかが判定される。ブロック３１８で、画像場所がネットワーク上に格納されているかどうか判定される。格納されていない場合、ブロック３２０で、画像がプレゼンスサーバかカリカチュアデータベースのいずれかと、おそらくＨＬＲとに送信される。
【００４３】
図３のブロック３１８で、画像がネットワーク上にある場合、幾つかの実施形態では、加入者がブロック３２４で、プレゼンスサーバに、画像場所が位置し得るポインタかアドレスを送信する。ブロック３２８で、プレゼンスサーバは画像を取得し、幾つかの実施形態で、プレゼンスサーバは、ブロック３３０で、後で使用するため、プレゼンスサーバデータベース上に画像のコピーを格納する。
【００４４】
かくして、本発明は、特に無線環境においてであるがこれに限らず、プレゼンスサービスを実質的に強化する、グラフィックおよび可変プレゼンス画像を含む新しいプレゼンスアプリケーションを提供する。本発明と、その最良の様態であると現在考えられるものが、発明者によってその所有を確立し、本発明を作成および使用することを当業者に可能にする様態で説明してきたが、本願に開示される例示的な実施形態には多数の均等物が存在し、本発明の範囲と精神から逸脱することなく、無数の修正と改変が本発明に行えることは明白であり、本発明は例示的実施形態によって限定されることはなく、添付の請求項によって限定される。
【図面の簡単な説明】
【００４５】
【図１】本発明の主題が実施され得る、無線通信を支援する例示的な機能通信アーキテクチャの図。
【図２】プレゼンス情報を携帯用無線通信デバイスに伝達する例示的なフロー図。
【図３】ネットワーク上でプレゼンス情報を作成し、更新する例示的なフロー図。
【図１】
2005522123.tif 000003
【図２】
2005522123.tif 000004
【図３】
2005522123.tif 000005
【国際調査報告】
2005522123.tif 000006